(57)【要約】【課題】  基板ケースの封止に係る部品を再利用することができる基板ケースの不正抑制構造を提供する。【解決手段】  不正抑制構造２３は、雌部材３３、介装部材３２及びカシメ部材３３を備え、雌部材３３には収容孔４２が設けられ、介装部材３２には挿通孔５４が設けられ、カシメ部材３３には挿入部６２が設けられ、挿入部６２が挿通孔５４に挿通されたうえで収容孔４２に収容された状態で雌部材３３に対する介装部材３２のスライド移動が抑制され、挿入部６２の規制片６４が介装部材３２の当接部５６に当接することで挿入部６２の挿通孔５４からの抜け出しが抑制されるとともに、規制片６４は当接部５６に当接する当接状態と当接部５６に当接しない非当接状態へと操作変更が可能に構成され、介装部材３２の開封用切断部３２Ａが切離されると規制片６４が挿通孔５４に挿通された状態のまま収容孔４２から抜き出し可能となる。【選択図】      図３
2011024694.tif 000002
【特許請求の範囲】
【請求項１】
遊技機の制御基板を収容する本体ケースと、該制御基板を収容するべく該本体ケースに設けられた収容口を閉塞するケース蓋とを備え、該ケース蓋が該本体ケースに対して所定方向にスライド移動されることで該収容口が閉塞されるように構成された遊技機用の基板ケースにおいて、該収容口が不正に開放されることを抑制するべく構成された基板ケースの不正抑制構造であって、
上記本体ケース又は上記ケース蓋のうち何れか一方に設けられた雌部材と何れか他方に設けられた介装部材、及び該雌部材に係合されて該雌部材との間で該介装部材を挟持するカシメ部材を備えており、
上記雌部材には収容孔が設けられており、上記介装部材には挿通孔が設けられており、上記カシメ部材には挿入部が設けられており、該カシメ部材の挿入部が該介装部材の挿通孔に挿通されたうえで該雌部材の収容孔に収容された状態で、上記本体ケースに対して上記ケース蓋をスライド移動させる場合、該挿入部の表面が該挿通孔の内周面及び該収容孔の内周面にそれぞれ当接されることで該雌部材に対する該介装部材のスライド移動が抑制されるものとして、
上記挿入部には規制片が設けられており、上記介装部材には上記挿入部の該規制片が当接される当接部が設けられており、該挿入部が上記介装部材の挿通孔から抜け出そうとする場合には、該規制片が該当接部に当接することで該挿入部の該挿通孔からの抜け出しを抑制するとともに、
該規制片は上記当接部に当接する当接状態から上記当接部に当接しない非当接状態へと操作変更が可能に構成されており、上記介装部材には上記ケース蓋又は上記本体ケースからの切離を可能とする開封用切断部が設けられており、
上記雌部材に対する上記介装部材の移動が抑制された状態で上記規制片が上記収容孔に収容された場合、該規制片は当接状態から非当接状態への操作変更を規制されており、上記開封用切断部を使用して上記介装部材が上記ケース蓋又は上記本体ケースから切離された場合、該規制片は該介装部材の挿通孔に挿通された状態のまま上記収容孔から抜き出し可能となることで当接状態から非当接状態への操作変更を許容されている
ことを特徴とする基板ケースの不正抑制構造。
【請求項２】
上記規制片は、その基端部が上記挿入部から分岐して延びるように設けられるとともに、上記挿通孔からの上記挿入部の抜け出し方向へ向かうに従って先端部が上記挿入部から離間する傾斜状とされており、
さらに上記当接状態から上記非当接状態への操作変更を可能とするべく、上記基端部を中心に上記先端部が上記挿入部に対して接近及び離間するように傾動自在とされている
請求項１に記載の基板ケースの不正抑制構造。
【請求項３】
さらに上記雌部材の内部から上記介装部材の内部に渡って配設されたインクカプセルを備えており、
上記インクカプセルには外力の付与によって発光、発色又は変色するものが使用されているとともに、上記雌部材の内部には第１把持部が設けられ、上記介装部材の内部には第２把持部が設けられており、上記インクカプセルは、一端部を該第１把持部に把持されるとともに、他端部を該第２把持部に把持されているものとして、
上記本体ケースに対して上記ケース蓋をスライド移動させたことに伴って上記雌部材又は上記介装部材の何れか一方に対して何れか他方が移動した場合、相互に位置ずれした上記第１把持部及び上記第２把持部が上記インクカプセルに外力を付与する
請求項１又は請求項２に記載の基板ケースの不正抑制構造。
【発明の詳細な説明】
【技術分野】
【０００１】
本発明は、遊技機を制御する制御基板が収容された基板ケースが不正行為によって開放されることを抑制するための基板ケースの不正抑制構造に関するものである。
【背景技術】
【０００２】
従来、パチンコ機等のような遊技機には、遊技者の操作に基づく遊技の進行に伴って遊技状態を変化させるべく、該遊技状態を制御する制御基板が基板ケース内に封止された状態で搭載されている。近時においては、不正の利益を得る目的で、前記制御基板に細工を施すべく、封止された基板ケースを不正に開封しようとする者の存在が報告されている。そこで、不正な開封を阻止するべく種々の工夫が施された基板ケースが提案されている。
特許文献１では、基板ケースのケース本体及びカバー体の各側面に対応する位置に開封腕部を介してかしめ部をそれぞれ突設し、各かしめ部を一体化すべくかしめて開封不能とし、さらにケース本体及びカバー体のいずれか一方、又は双方にインク類を封入している。特許文献２では、基板ケースを構成する主基板ケースと主基板ベースとをかしめ金具によってかしめている。特許文献３では、基板ケースを封印する封印部に、外力の付与によって外部にインクを流出させ、該インクを発光させるインクカプセルを封入している。
【先行技術文献】
【特許文献】
【０００３】
【特許文献１】特開２００１−３１４６２４号公報
【特許文献２】特開２００５−３４２１９３号公報
【特許文献３】特開２００７−２８９２１１号公報
【発明の概要】
【発明が解決しようとする課題】
【０００４】
ところが上記従来の基板ケースは、制御プログラムの更新、メンテナンス等の正当な事由でもまた開封される場合がある。しかし基板ケースの封止に係る各部品は、不正な開封を阻止するため、一度でも封止に使用したものは二度と使用できないように構成されていた。
本発明は、このような従来技術に存在する問題点に着目してなされたものである。その目的とするところは、不正行為による基板ケースの開放を抑制することができるとともに、基板ケースの封止に係る部品を再利用することができる基板ケースの不正抑制構造を提供することにある。
【課題を解決するための手段】
【０００５】
上記の目的を達成するために、請求項１に記載の基板ケースの不正抑制構造の発明は、遊技機の制御基板を収容する本体ケースと、該制御基板を収容するべく該本体ケースに設けられた収容口を閉塞するケース蓋とを備え、該ケース蓋が該本体ケースに対して所定方向にスライド移動されることで該収容口が閉塞されるように構成された遊技機用の基板ケースにおいて、該収容口が不正に開放されることを抑制するべく構成された基板ケースの不正抑制構造であって、上記本体ケース又は上記ケース蓋のうち何れか一方に設けられた雌部材と何れか他方に設けられた介装部材、及び該雌部材に係合されて該雌部材との間で該介装部材を挟持するカシメ部材を備えており、上記雌部材には収容孔が設けられており、上記介装部材には挿通孔が設けられており、上記カシメ部材には挿入部が設けられており、該カシメ部材の挿入部が該介装部材の挿通孔に挿通されたうえで該雌部材の収容孔に収容された状態で、上記本体ケースに対して上記ケース蓋をスライド移動させる場合、該挿入部の表面が該挿通孔の内周面及び該収容孔の内周面にそれぞれ当接されることで該雌部材に対する該介装部材のスライド移動が抑制されるものとして、上記挿入部には規制片が設けられており、上記介装部材には上記挿入部の該規制片が当接される当接部が設けられており、該挿入部が上記介装部材の挿通孔から抜け出そうとする場合には、該規制片が該当接部に当接することで該挿入部の該挿通孔からの抜け出しを抑制するとともに、該規制片は上記当接部に当接する当接状態から上記当接部に当接しない非当接状態へと操作変更が可能に構成されており、上記介装部材には上記ケース蓋又は上記本体ケースからの切離を可能とする開封用切断部が設けられており、上記雌部材に対する上記介装部材の移動が抑制された状態で上記規制片が上記収容孔に収容された場合、該規制片は当接状態から非当接状態への操作変更を規制されており、上記開封用切断部を使用して上記介装部材が上記ケース蓋又は上記本体ケースから切離された場合、該規制片は該介装部材の挿通孔に挿通された状態のまま上記収容孔から抜き出し可能となることで当接状態から非当接状態への操作変更を許容されていることを要旨とする。
【０００６】
上記構成の基板ケースの不正抑制構造によれば、ケース蓋が本体ケースに対して所定方向にスライド移動して収容口を閉塞するように構成されているため、雌部材に対して介装部材が移動可能な方向は限られている。そして、カシメ部材の挿入部が介装部材の挿通孔に挿通された状態で雌部材の収容孔に収容されると、雌部材に対して介装部材を移動させようとしても該挿入部の表面が該挿通孔及び該収容孔の内周面に当接されることで、雌部材と介装部材の相互移動が抑制される。その結果、本体ケースに対するケース蓋のスライド移動が抑制されることで、基板ケースの開放が抑制される。
上記カシメ部材においては挿入部に規制片が設けられており、上記介装部材においては該規制片が当接される当接部が設けられている。このため、カシメ部材の挿入部は、介装部材の挿通孔に挿通された状態で雌部材の収容孔に収容されると、規制片が当接部に当接されることで収容孔及び挿通孔からの抜け出しを規制される。
一方、上記介装部材には開封用切断部が設けられており、該開封用切断部を使用して介装部材をケース蓋又は上記本体ケースから切離すると、該介装部材は雌部材に対して、移動可能な方向を限られることなく自由に移動できるようになる。また上記カシメ部材の挿入部は、介装部材に対しては挿通孔からの抜け出しを規制されているが、雌部材に対しては収容孔に収容されているのみで抜け出しを規制されていない。
従って、上記カシメ部材は、雌部材に対し、挿入部の表面が収容孔の内周面に当接されない方向、つまりはケース蓋が本体ケースに対してスライド移動する方向以外の方向へ移動させることで、介装部材とともに雌部材から抜き出すことができるようになる。また該挿入部に設けられた規制片は、上記介装部材の当接部に当接する当接状態から上記当接部に当接しない非当接状態へと操作変更が可能に構成されている。そこで、カシメ部材を介装部材とともに雌部材から抜き出し、規制片を当接状態から非当接状態へと操作変更すれば、カシメ部材を介装部材から取り外すことができ、また規制片を非当接状態から当接状態へと操作変更すれば、カシメ部材の再利用が可能となる。
【０００７】
ここで、基板ケースの不正抑制構造において、封止に係る部品を再利用することの阻害要因について説明する。
従来の遊技機において封止に係る各部品は、上記したように一度使用したものは二度と使用できないように構成されている。その理由は、該封止に係る各部品は、相互に組み合わさった後は少なくとも一部を破壊することでしか分離する手段が無く、該破壊の痕跡を確認することで、事由に係わらず基板ケースが開封されたか否かのみを判断しているためである。そして基板ケースが開封された後、該封止に係る各部品は、破壊された各部品を再生することで不正に利用されることがないように、破壊の痕跡が明確に残ったまま組み合わさった状態で基板ケース上に残される。従って、一度封止に使用した部品は、二度と使用することができず、再利用も想定されていない。また一度の封止に使用する全ての部品を１セットとして、封止に使用したセットは使い捨てにされるため、基板ケースには通常３〜５セットの複数セットが設けられ、このセットの数に応じた回数だけ基板ケースを封止及び開封できるように構成されている。
上記のように封止に係る部品を再利用する構成は、不正行為による基板ケースの開放を抑制することができるという効果に対して、再利用可能とすることで破壊の痕跡を隠すという一見逆効果となる構成となりかねない。しかし本発明の基板ケースの不正抑制構造については、カシメ部材を再利用する構成としたことで、不正行為による基板ケースの開放を抑制することができるという効果を発揮している。すなわち、上記したように基板ケースには封止に使用する部品が複数セット設けられているが、一度の封止で使用されるのは通常は１セットであり、封止に使用されなかった残りのセットの部品は、何等かの方法で管理しつつ保管する必要がある。そして、該管理が杜撰であれば、保管された部品から破壊される前の状態で複製が作られて該複製の使用による不正行為が懸念され、他に部品の紛失による不具合も生じかねない。
これに対し本発明の基板ケースの不正抑制構造であれば、カシメ部材を再利用しながら複数セットで使い回すことで、該カシメ部材がほぼ常に使用状態に置かれるため、複製が作られるおそれが無く、紛失のおそれもない。また介装部材は再利用されず、開封用切断部を切断した痕跡が確実に残る。このため本発明の基板ケースの不正抑制構造は、カシメ部材の複製、紛失を防止できると云う点で、不正行為による基板ケースの開放を抑制する効果が却って高まっている。またカシメ部材の製造個数を減らすことができるため、製造コストの低減を図ることもできる。
【０００８】
請求項２に記載の発明は、請求項１に記載の基板ケースの不正抑制構造の発明において、上記規制片は、その基端部が上記挿入部から分岐して延びるように設けられるとともに、上記挿通孔からの上記挿入部の抜け出し方向へ向かうに従って先端部が上記挿入部から離間する傾斜状とされており、さらに上記当接状態から上記非当接状態への操作変更を可能とするべく、上記基端部を中心に上記先端部が上記挿入部に対して接近及び離間するように傾動自在とされていることを要旨とする。
上記構成によれば、挿入部に規制片を簡易な構成で設けることができる。また挿入部と規制片が一体とされるため、カシメ部材を簡易に成形することができる。
【０００９】
請求項３に記載の発明は、請求項１又は請求項２に記載の基板ケースの不正抑制構造の発明において、さらに上記雌部材の内部から上記介装部材の内部に渡って配設されたインクカプセルを備えており、上記インクカプセルには外力の付与によって発光、発色又は変色するものが使用されているとともに、上記雌部材の内部には第１把持部が設けられ、上記介装部材の内部には第２把持部が設けられており、上記インクカプセルは、一端部を該第１把持部に把持されるとともに、他端部を該第２把持部に把持されているものとして、上記本体ケースに対して上記ケース蓋をスライド移動させたことに伴って上記雌部材又は上記介装部材の何れか一方に対して何れか他方が移動した場合、相互に位置ずれした上記第１把持部及び上記第２把持部が上記インクカプセルに外力を付与することを要旨とする。
上記構成によれば、開封用切断部を使用せずに基板ケースを開封しようとする場合、ケース蓋をスライド移動させる際に相互に位置ずれした第１把持部及び第２把持部によってインクカプセルに外力が付与され、該インクカプセルが必ず発光、発色又は変色する。このため該インクカプセルの発光、発色又は変色を確認することで、開封用切断部を使用するという正当な手段以外の方法で基板ケースが開封されようとした、あるいは開封されたことを容易に判別することができる。
【発明の効果】
【００１０】
本発明によれば、基板ケースの封止に係る部品を再利用することができる基板ケースの不正抑制構造を提供することができる。
【図面の簡単な説明】
【００１１】
【図１】遊技機を示す概略図。
【図２】実施形態の基板ケースを示す平面図。
【図３】実施形態の不正抑制構造を示す分解斜視図。
【図４】（ａ），（ｂ）は実施形態の雌部材を示す平面図、側面図であり、（ｃ）〜（ｆ）は（ａ）中のｃ−ｃ線、ｄ−ｄ線、ｅ−ｅ線、ｆ−ｆ線における断面図。
【図５】（ａ），（ｂ）は実施形態の介装部材を示す平面図、側面図であり、（ｃ）〜（ｆ）は（ａ）中のｃ−ｃ線、ｄ−ｄ線、ｅ−ｅ線、ｆ−ｆ線における断面図。
【図６】（ａ）〜（ｄ）は実施形態のカシメ部材を示す平面図、側面図、正面図、背面図であり、（ｅ），（ｆ）は（ａ）中のｅ−ｅ線、ｆ−ｆ線における断面図。
【図７】（ａ）は雌部材に介装部材をを装着した状態を示す断面図、（ｂ）はインクカプセルを装着した状態を示す断面図。
【図８】（ａ），（ｂ）はカシメ部材を装着する状態を示す断面図。
【図９】（ａ）はカシメ部材を装着した状態を示す断面図、（ｂ）は無理に基板ケースを開けようとする状態を示す断面図。
【図１０】（ａ）〜（ｃ）は基板ケースの開封作業を示す断面図。
【発明を実施するための形態】
【００１２】
以下、本発明を具体化した一実施形態について説明する。
遊技機の概略構成について説明する。なお、遊技機とは、パチンコ機、パチスロ機、スロット機等であり、遊技場において島設備と総称される玉供給装置、コイン供給装置等に組み込まれて設置されたものである。
図１に示すように、遊技機１０は、外枠１１と、該外枠１１の内側に組み付けられた中枠１２とを備えている。外枠１１は、前記島設備（図示略）に固定されている。中枠１２は、該外枠１１に対し、着脱可能かつ開閉可能に組み付けられている。該中枠１２の内側には、遊技盤１３が組み付けられている。また中枠１２には、遊技機の操作等に係る球皿１４、ハンドル１５が組み付けられている。該中枠１２は、第三者によって不用意に開閉されることがないようにするため、施錠装置１６によって外枠１１に対して施錠固定されている。
上記遊技盤１３は、遊技を行うための主要な部品であり、流行に合わせる、新機種の導入を容易にする、遊技場内における機種移動を簡易に行う等の理由で該遊技盤１３のみを交換可能とするため、中枠１２に対して着脱自在に構成されている。該遊技盤１３の前面には、盤面部品として、遊技状態を知らしめる、あるいは遊技を興味深いものにするための液晶パネル（図示略）、チューリップ（図示略）などが取り付けられている。該遊技盤１３の後面には、遊技状態を制御する制御ユニットとして基板ケース１７が取り付けられている。
【００１３】
図２に示すように、上記基板ケース１７は、本体ケース２１と、ケース蓋２２とからなる。本体ケース２１は、一面が開放された箱状に形成されており、その開放された一面が収容口２１ａとされている。該本体ケース２１の内部には、該収容口２１ａから遊技機を制御するための制御基板が収容されている（図示略）。また該本体ケース２１の収容口２１ａの周縁における両側壁内面には、凹条がそれぞれ形成されている（図示略）。
ケース蓋２２は、板状に形成されている。該ケース蓋２２は、その側縁部が上記本体ケース２１の凹条に係入されることにより、本体ケース２１に対して所定方向（図２中で上方向）にスライド移動して該収容口２１ａを閉塞するように構成されている。そして、ケース蓋２２が本体ケース２１に対してスライド移動する方向で基板ケース１７の先端縁（図２中で上側縁）には、不正抑制構造２３が設けられており、該不正抑制構造２３によって基板ケース１７が開封不能に封止されている。
【００１４】
不正抑制構造２３について説明する。
図３に示すように、不正抑制構造２３は、雌部材３１と介装部材３２、及び該雌部材３１に係合されて該雌部材３１との間で該介装部材３２を挟持するカシメ部材３３を備え、さらに該雌部材３１の内部から該介装部材３２の内部に渡って配設されたインクカプセル３４を備えている。これらのうち雌部材３１は、複数（本実施形態では３つ）が上記本体ケース２１に設けられている。介装部材３２は、該雌部材３１と対応する位置及び対応する個数となるように、複数（本実施形態では３つ）がケース蓋２２に設けられている。またインクカプセル３４には、例えば湾曲させたり、捩ったり、折り曲げたり等のようにして外力が付与された場合に、発光、発色又は変色するものが使用されている。
【００１５】
上記雌部材３１について説明する。
図４（ａ）〜（ｆ）に示すように、雌部材３１は、一面（図４（ａ）中で上面）が開口された箱状に形成されている。該雌部材３１の内側には、角筒状の収容筒４１が形成されている。雌部材３１の周壁内面と、収容筒４１の周壁外面との間の空間は、収容孔４２として構成されている。該収容孔４２はその内底が、該収容筒４１の内底に比べて底浅となるように形成されている。なお、該収容孔４２には、上記カシメ部材３３の後述する挿入部が収容されるようになっており、該挿入部が収容孔４２の中でぐらついたり、動いたり等しないようにするため、該挿入部のサイズに合わせて収容孔４２の内底が底浅とされている。
該収容筒４１の内底には、第１把持部４３が突設されている。該第１把持部４３上には、第１把持孔４４が凹設されている。該収容筒４１は、上記インクカプセル３４を雌部材３１の内部に配設するべく、その内部にインクカプセル３４を収容するために設けられたものである。また該第１把持部４３は、上記インクカプセル３４が該収容筒４１の内部で動かないように、該インクカプセル３４の一端部を把持して固定するために設けられたものである。そして、上記インクカプセル３４は、その一端部が該第１把持孔４４に挿入されることで該第１把持部４３に把持されるように構成されており、従って第１把持孔４４の径は、インクカプセル３４の径（太さ）と略同一に設定されている。
【００１６】
上記介装部材３２について説明する。
図５（ａ）〜（ｆ）に示すように、介装部材３２は、四角枠状に形成されている。該介装部材３２は、ケース蓋２２に対し、柱状をなす一対の開封用切断部３２Ａによって繋がっている。そして、該開封用切断部３２Ａを切断することにより、介装部材３２は、ケース蓋２２から切離されるようになっている。
該介装部材３２の内側で略中央には矩形状の第２把持部５１が配設されている。介装部材３２の内周面と該第２把持部５１の周面との間には、合計で３つの支持梁５２ａ，５２ｂ，５２ｃが架設され、第２把持部５１を支持している。第２把持部５１には、第２把持孔５３が貫設されている。該第２把持部５１は、上記インクカプセル３４を介装部材３２の内部に配設し、かつ該インクカプセル３４が該介装部材３２の内部で動かないように、該インクカプセル３４の他端部を把持して固定するために設けられたものである。そして、上記インクカプセル３４は、その他端部が該第２把持孔５３に挿通されることで該第２把持部５１に把持されるように構成されており、従って第２把持孔５３の径は、インクカプセル３４の径（太さ）と略同一に設定されている。
該介装部材３２の内周面と該第２把持部５１の周面との間の空間は、挿通孔５４として構成されている。該介装部材３２の底部において、支持梁５２ｂと支持梁５２ｃの間で該挿通孔５４のケース蓋２２側となる部分は、閉塞板５５によって塞がれている。そして、該支持梁５２ｂ，５２ｃ及び該閉塞板５５の下面は、当接部５６とされている（図５（ｆ）参照）。また該介装部材３２の上面で内周縁には係止段部５７が形成されている。
なお、該挿通孔５４には、上記カシメ部材３３の後述する挿入部が挿通されるようになっており、該挿入部が挿通孔５４の中でぐらついたり、動いたり等しないようにするため、該挿入部のサイズに合わせて該挿通孔５４のサイズが設定されている。また３つの支持梁５２ａ，５２ｂ，５２ｃは、該挿通孔５４に上記カシメ部材３３の該挿入部が適正に挿通されるようにするべく、位置決めと方向決めを行うものでもある。特に支持梁５２ｂ，５２ｃは、その上面で挿通孔５４側となる角部が面取りされることによって形成されたガイド面５８を有している。
【００１７】
上記カシメ部材３３について説明する。
図６（ａ）〜（ｆ）に示すように、カシメ部材３３は、合成樹脂を材料にもちいて形成され、板状をなす頭部６１と該頭部６１の下面から下方へ延設された挿入部６２とを有している。該挿入部６２は、頭部６１の直下に形成された四角枠状の枠壁６２ａと、該枠壁６２ａの下面から下方へ延びる断面凹字状の挿入壁６２ｂとによって構成されている。該挿入部６２においては、枠壁６２ａが上記介装部材３２の挿通孔５４に挿入され、挿入壁６２ｂが該挿通孔５４を通り抜けて上記雌部材３１の収容孔４２に収容されるようになっている。
枠壁６２ａの下面には、上記介装部材３２の支持梁５２ａ，５２ｂ，５２ｃと対応して、係合凹部６３ａ，６３ｂ，６３ｃが形成されている。特に該係合凹部６３ａは、その開口が挿入壁６２ｂの下端に達することで、該カシメ部材３３を上記介装部材３２の挿通孔５４に挿入する際のガイドとしての機能を発揮する。
挿入壁６２ｂの下端において、両側部には規制片６４が設けられている。該規制片６４は、柱状に形成され、その基端部が挿入部６２の挿入壁６２ｂから後方へ分岐して延びるとともに、中間部から先端部が上記挿通孔５４からの該挿入部６２の抜け出し方向（図６（ｂ）中で上方向）へ向かうに従って該挿入部６２から離間する傾斜状とされている。そして、該規制片６４は、カシメ部材３３が合成樹脂製であることから、その基端部を中心に先端部が該挿入部６２に対して接近及び離間するように傾動自在とされている。従って該規制片６４は、上記介装部材３２の当接部５６に当接する当接状態（図６（ｂ）参照）から、当接部５６に当接しない非当接状態（図９（ｂ）参照）へと操作変更が可能に構成されている。
【００１８】
上記不正抑制構造２３を用いた基板ケース１７の封止作業について説明する。
図７（ａ）に示すように、封止作業を行う場合、本体ケース２１にケース蓋２２をセットし、該ケース蓋２２を一定方向（図７（ａ）中で右方向）にスライド移動させる。すると、雌部材３１の上部に介装部材３２が配置される。
次いで、図７（ｂ）に示すように、第２把持孔５３にインクカプセル３４を押し込み、該インクカプセル３４の下端部（一端部）を第１把持孔４４に挿入して、第１把持部４３及び第２把持部５１の両方にインクカプセル３４の下端部及び上端部（他端部）をそれぞれ把持させる。
続いて、図８（ａ）に示すように、カシメ部材３３の挿入部６２を介装部材３２の挿通孔５４に挿入し、このままカシメ部材３３を雌部材３３へ向かって押し込む。このとき、図８（ｂ）に示すように、カシメ部材３３の規制片６４は、介装部材３２の支持梁５２ｂ，５２ｃに形成されたガイド面５８に摺接することにより、その基端部を中心に傾動して非当接状態となり、該支持梁５２ｂ，５２ｃを乗り越える。なお支持梁５２ｂ，５２ｃを乗り越えた規制片６４は、その弾性力によって元の当接状態へと復帰する。
そして、カシメ部材３３の挿入部６２が雌部材３１の収容孔４２に収容されると、カシメ部材３３の頭部６１が介装部材３２の係止段部５７に嵌り込み、封止作業が完了する。
【００１９】
図９（ａ）に示すように、封止作業が完了した不正抑制構造２３においては、基板ケース１７を開けるべく本体ケース２１に対してケース蓋２２を所定方向（図９（ａ）中で左側）へスライド移動させても、カシメ部材３３の挿入部６２の表面が介装部材３２の挿通孔５４及び雌部材３１の収容孔４２の内周面にそれぞれ当接されるため、該スライド移動が規制されている。
図９（ｂ）に示すように、カシメ部材３３の挿入部６２を切断する等して無理に基板ケース１７を開けようとしても、相互に位置ずれした第１把持部４３及び第２把持部５１がインクカプセル３４に外力を付与し、該インクカプセル３４が発光、発色又は変色するため、無理に基板ケース１７を開けようとした痕跡が残る。
【００２０】
上記不正抑制構造２３で封止された基板ケース１７の開封作業について説明する。
図１０（ａ）に示すように、開封作業を行う前の状態では、カシメ部材３３の規制片６４は、雌部材３３の収容孔４２内に収容されているため、当接状態から非当接状態への操作変更は不可能となっている。またカシメ部材３３を介装部材３２から取り外そうとしても、該規制片６４が当接部５６に当接されることにより、カシメ部材３３の取り外しが規制されている。
開封作業を行う際には、まず介装部材３２の開封用切断部３２Ａを切断し、該介装部材３２をケース蓋２２から切り離す。すると、該ケース蓋２２は不正抑制構造２３によって規制されることなく、本体ケース２１に対してスライド移動できるようになる。一方、ケース蓋２２から切り離された介装部材３２は、ケース蓋２２によるスライド移動の方向に影響されることなく移動可能な状態となる。
また一方、カシメ部材３３の規制片６４及び挿入部６２は、雌部材３１の収容孔４２内に挿入されているのみであり、該カシメ部材３３及び該雌部材３１のみに着目すると、該カシメ部材３３は該雌部材３１から自由に抜き出すことができるようになっている。この該雌部材３１からのカシメ部材３３の抜き出しを規制しているのは、ケース蓋２２に繋がることで移動方向を規制されている介装部材３２であるが、ケース蓋２２から介装部材３２を切り離すことにより、図１０（ｂ）に示すように、雌部材３１に対してカシメ部材３３及び介装部材３２を上方へ抜き出すことができるようになる。雌部材３１から抜き出されたカシメ部材３３は、図１０（ｃ）に示すように、規制片６４を当接状態から非当接状態へと操作変更することができるようになるため、該非当接状態とすることで介装部材３２から取り外す。そして、取り外されたカシメ部材３３は、他の介装部材３２及び雌部材３１を使用した封止作業で再利用される。
【００２１】
本発明の不正抑制構造２３は、上記実施形態の構成に限定されるものではない。
例えば雌部材３１をケース蓋２２に設け、介装部材３２を本体ケース２１に設けてもよい。雌部材３１及び介装部材３２を、１個又は２個、あるいは３個以上の複数個設けてもよい。
カシメ部材３３の規制片６４は、挿入部６２の下端に設けたが、挿入部６２の中間部に設けてもよい。また規制片６４を金属によって構成してもよい。
インクカプセル３４を省略して構成してもよい。またカシメ部材３３と同様にインクカプセル３４を再利用してもよい。
【符号の説明】
【００２２】
１０      遊技機
１７      基板ケース
２１      本体ケース
２１ａ    収容口
２２      ケース蓋
２３      不正抑制構造
３１      雌部材
３２      介装部材
３２Ａ    開封用切断部
３３      カシメ部材
３４      インクカプセル
４２      収容孔
５４      挿通孔
５６      当接部
６２      挿入部
６４      規制片
【図１】
2011024694.tif 000003
【図２】
2011024694.tif 000004
【図３】
2011024694.tif 000005
【図４】
2011024694.tif 000006
【図５】
2011024694.tif 000007
【図６】
2011024694.tif 000008
【図７】
2011024694.tif 000009
【図８】
2011024694.tif 000010
【図９】
2011024694.tif 000011
【図１０】
2011024694.tif 000012